(57)【特許請求の範囲】
【請求項１】
柄体の左右両側面に固定する固定部と、先方に向けて広がる側面板と、側面板に対して折曲状態で連続する正面刃板を一枚の鋼板によって形成し、側面板と正面刃板との折れ線を側面板の長手方向と直交する方向に対して傾斜させることによって正面刃板を下向きに傾斜させるとともに、正面刃板を前方に向けて突出する突弧状に形成したことを特徴とする草削り具。
【請求項２】
側面板と正面刃板の折曲角度が直角もしくは鈍角であって、側面板を円弧状に湾曲させたことを特徴とする請求項１記載の草削り具。
【請求項３】
側面板と正面刃板の折曲角度が直角もしくは鋭角であって、側面板を正面刃板から柄体に向けて直線的に傾斜させたことを特徴とする請求項１記載の草削り具。
【請求項４】
側面板は前端部において正面刃板よりも細幅とし、正面刃板の四隅が側面板よりも上下方向に突出する突出部を形成したことを特徴とする請求項１ないし３のいずれかに記載の草削り具。
【発明の詳細な説明】
【技術分野】
【０００１】
この発明は、農園芸作業における除草手段としての草削り具、特に田畑などの除草作業など、狭い場所で使用するのに適した草削り具に関するものである。
【背景技術】
【０００２】
除草手段として、地表面を削るようにして雑草を根元から取り除く、草削り具そのものは特許文献１や特許文献２に示すように、横幅方向に配置した刃板によって地面を削る形態のものが知られている。また、特許文献３に示すように、略三角形の鍬の側縁で雑草を削り取る除草用三角鍬も知られている。
【特許文献１】特開平０９―１２１６０１号公報
【特許文献２】特開２００３―３２５００１号公報
【特許文献３】特開平２００４―７３０１８号公報
【発明の開示】
【発明が解決しようとする課題】
【０００３】
一般的な草削り具は、特許文献２や図８に示すように、横幅方向に配置される刃板Ａの略中央部分に、柄ＢのシャンクＣを固定したものである。そのため、図８に示すように刃板Ａによって地表面を削るように移動させ、除草作業を行う場合に、刃板Ａの左右先端部分で、移動方向にある作物Ｄや植えてある草花などを傷付けてしまうトラブルが発生し易い欠点があった。特許文献１に開示される草削り機は、刃板の先端が側方に突出しないものではあるが草刈り刃の着脱構造が側方に突出するため、これが作物にぶつかり傷付けるとともに、構造が複雑となる欠点があった。また、特許文献３に開示される三角鍬は、側縁削り刃であるため、削り刃で作物に傷を付け易い欠点がある。作物などに傷を付けるトラブルは、例えば畝の上に一定の間隔で作物が植えられている場合に、作物の列と列の間の除草を行う場合などに発生する可能性が大きい。
【０００４】
上記従来技術の欠点に鑑み、本発明は狭い場所での除草作業に際し農作物や植えてある植物に傷付けることなく作業を進めることができるとともに、簡単な構造で安価に提供することができ、作業性に優れた草削り具を提供することを目的とするものである。
また、本発明の別の目的は、除草のための正面刃板に上下方向に突出する角部分を形成し、細かな作業が行えるようにすることである。
【課題を解決するための手段】
【０００５】
上記目的を達成するため、請求項１記載の発明は、柄体１の左右両側面に固定する固定部２，２と、先方に向けて広がる側面板３，３と、側面板３，３に対して折曲状態で連続する正面刃板４を一枚の鋼板によって形成する。そして、側面板３，３と正面刃板４との折れ線を側面板３の長手方向と直交する方向に対して傾斜させることによって正面刃板４を下向きに傾斜させるとともに、正面刃板４を前方に向けて突出する突弧状に形成する。
【０００６】
請求項２記載の発明は、側面板３と正面刃板４の折曲角度が直角もしくは鈍角とし、側面板３を円弧状に湾曲させること、請求項３記載の発明は、側面板３と正面刃板４の折曲角度を直角もしくは鋭角とし、側面板３を正面刃板４から柄体１に向けて傾斜、すなわち直線的に形成するものである。
請求項４記載の発明は、正面刃板に上下方向に突出する角部分である。すなわち、側面板３は前端部において正面刃板４よりも細幅とし、正面刃板４の四隅が側面板３よりも上下方向に突出する突出部を形成したものである。
【発明の効果】
【０００７】
請求項１記載の本発明草削り具によれば、一枚の鋼板から打ち抜き、折曲することによって簡単に製造することができる。そして、側面板３と正面刃板４が連続しているため、正面刃板４に形成した削り刃５が、側面板３よりも側方に突出しないとともに、傾斜方向に形成される側面板３がガイド板として機能し、作業中に作物に当たって傷を付けるのを効果的に防止することができる。
さらに、正面刃板４を、前方に向けて突出する突弧状に形成することによって、湾曲の程度に比例して、正面刃板４の中央部が下方に位置し、効果的に地表面を削って除草作業を行うことができる効果がある。
【０００８】
請求項２記載の発明によれば、ガイド板として機能する側面板３の形状が、正面刃板４に近づくに従って移動方向に対して鋭角となるとともに、正面刃板４の側方への突出を確実に無くし、作物を傷付けるのを防止する効果が一層確実なものとなる。請求項３記載の発明によれば、側面板３の出っ張りがなく、狭い場所での作業を支障なく行うことができる。
請求項４記載の発明によれば、上面刃板４の四隅に側面板よりも突出する突出部11を利用して、例えば深く根が張っている雑草を掘り起こす場合などに利用し、効率的に除草作業を進めることができる効果がある。
【発明を実施するための最良の形態】
【０００９】
以下、本発明に係る草削り具の実施形態を添付の図面に基づいて説明する。
図１は、本発明の実施形態を示す草削り具の平面図、図２は、一部を切断して示す正面図、図３は、使用状態を示す略図、図４は、刃体全体の展開図、図５は、一部を切断して示す別の実施形態の正面図、図６は、図５の実施形態を示す刃体全体の展開図、図７は、図５に示す実施形態の平面図である。
【００１０】
図示実施形態の草削り具は、短い柄体１を備え、片手で持って作業をするものを示しているが、長い柄体のものであってもよい。
柄体１は、握り易い太さ及び形状とした把持部1aの先端部分に、広幅に形成した取付部1bを形成し、取付部1bに草削り具の刃体６を固定している。
【００１１】
刃体６は、全体を一体に形成し、例えば鋼板の打ち抜き加工によって成型することができる。すなわち、刃体６は図４に示すように、中央に幅の広い正面刃板４を配置し、左右両側方に側面板３と固定部２を連続させる。側面板３，３と正面刃板４は、直線方向ではなく、角度αで傾斜させ、固定部２と側面板は直線的に形成する。
すなわち、固定部２と側面板３は折れ線７で、側面板３と正面刃板４は折れ線８でそれぞれ折曲するが、折れ線８は、正面刃板４の長手方向に対して直交する方向、換言すれば側面板の長手方向と直交する方向に対して角度αの方向に傾斜させている。
【００１２】
正面刃板４の下端縁は、刃付けを行って削り刃５とするとともに、側面板３の下端縁3aは、凹弧状に切除して側面板３をやや細幅として面方向に湾曲し易い形状としている。その他、固定部２には、柄体１の取付部1aの側面にビス止めするための取付孔10，10が穿設してある。
【００１３】
上記、刃体６を柄体１に固定し、草削り具として完成させた状態を図１及び図２に基づいて説明する。図１に示すように、柄体１の取付部1bは、把持部1aよりも広幅、具体的には幅W1を、正面刃板４の横幅Ｗに対して60％程度の広幅、実寸で略60mmとし、この取付部1bの側面に刃体の両端部に位置する固定部２，２を、それぞれビス９，９によって固定している。正面刃板４の幅Ｗが、取付部1bの幅W1よりも広幅であることから、側面板３は前方に向けて広がるように傾斜することになるが、図示実施形態では平面視で外側方に突出する円弧状に湾曲させている。側面板の長さは、正面刃板４の幅Ｗよりもやや短く、実寸で略80mm程度としている。
【００１４】
図２からも理解されるように、下端縁に削り刃を形成する正面刃板４は、前方に向けて突出する突弧状に形成する。また、側面板３と正面板４の折曲角度、すなわち、折れ線８による折曲角度を略直角とし、正面刃板４の両端部分ができるだけ作物などに当たらないように工夫している。
【００１５】
前記側面板３と正面刃板４の寸法関係や湾曲形状とすることによって、削り刃５が形成される正面刃板４と把持部との間に適度な空間が形成され、図３に示す草削り作業に際して雑草を目視するのに都合がよく、柄部を握った手の把持力が削り刃に適度に作用する使い勝手の良い形状に完成させることができる。
【００１６】
先に述べたように、正面刃板を前方に突出するように湾曲させ、かつ下向きに傾斜させることによって、図２に示すように削り刃５のセンター位置が最も下方に位置することになる。正確には、湾曲による正面刃板中央部の突出寸法をＹとすると、該部分における下方への突出寸法Ｘは、Ｙsinαとなる。前方に突出する如く湾曲する正面刃板４の中央部分が下方に位置することによって、図３に示すように、使用状態において除草しようとする雑草部分を深く抉るように、効果的に使用することができる。
【００１７】
図示、実施形態の本考案に係る草削り具は、例えば作物が二列に植え付けられている間の除草や、狭い間隔で植物が植え付けられている花壇の除草などに利用すると便利であるが、柄体を長寸法のものとすれば、立ち姿勢で使用する草削り具に応用することも可能である。また、各部の具体的な寸法は、使用する場所の条件や使用目的によって変更することができるのは勿論である。
【００１８】
図５に示す実施形態の草削り具は、正面刃板４の上下幅を側面板３の上下幅より大きく形成し、正面刃板４の四隅が側面板３よりも上下方向に突出する突出部11，11を形成したものである。突出部11は、正面刃板４の四隅が側面板３から突出するものであるため、側面刃板３に邪魔されることなく、突出部11を使って土を掘り起こすような作業を行うことができ、深く根を張った雑草を取り除く場合などに便利である。
【００１９】
図５に示す実施形態の場合、正面刃板４の上下両端縁に削り刃５が形成してあり、正面刃板４の上下両端縁が、側面板よりも大きく突出している。そのため、下縁の削り刃５を使用する場合において削り刃の突出量が多く、側面板３が邪魔になることなく、円滑にし除草作業作業を進めることができる。すなわち、図１ないし図４に示す実施形態の草削り具よりも、地表面を深く削り込んで除草作業を行うことが可能となる。また、上下反転させて、上縁の削り刃も使用することができる。
【００２０】
さらに、図５に示す実施形態の場合、図７に示すように、側面板３と正面刃板４の折曲角度を鋭角とし、正面刃板４から柄体１に向けて直線的に傾斜させている。このように、側面板３の膨らみをなくし、直線的に形成するものでは、草削り具を動かして作業をする場合に、側面の膨らみが植物やそれ以外のものにぶつかる可能性が少なくなり、より狭い場所での作業が可能となるものである。
【００２１】
本発明に係る草削り具の製造に際しては、図４や図６に展開図として示すように、一枚の板材で成型することができるものであり、図１ないし図４に示す第一の実施形態の商品と、図５及び図６に示す第二の実施形態の商品との違いは、鋼板の打ち抜き加工に際して、打ち抜きの形状を変更するもので、同じ工程で製造することができるものである。
【図面の簡単な説明】
【００２２】
【図１】図１は、本発明の実施形態を示す草削り具全体の平面図、
【図２】図２は、図１に示す草刈り具の、一部を切断して示す正面図、
【図３】図３は、図１に示す草刈り具の、使用状態を示す略図、
【図４】図４は、図１に示す草刈具の刃体全体の展開図、
【図５】図５は、本発明の別の実施形態を示す草刈り具の、一部を切断して示す正面図、
【図６】図６は、図５に示す草刈り具の、刃体全体の展開図、
【図７】図７は、図５に示す実施形態の草刈り具全体の平面図、
【図８】図８は、従来の草刈り具の一例を示す平面図である。
【符号の説明】
【００２３】
１…柄体、  1a…把持部、  1b…取付部、  ２…固定部、  ３…側面板、  3a…下端縁、４…正面刃板、  ５…削り刃、  ６…刃体、  ７，８…折れ線、  ９…ビス、  10…取付孔、  11…突出部。
【図１】
0004646820.tif 000002
【図２】
0004646820.tif 000003
【図３】
0004646820.tif 000004
【図４】
0004646820.tif 000005
【図５】
0004646820.tif 000006
【図６】
0004646820.tif 000007
【図７】
0004646820.tif 000008
【図８】
0004646820.tif 000009